(57)【要約】【課題】昇降式テーブルの安定な昇降構造を提供する。【解決手段】本考案の昇降装置は、主に外管１０と内管２０が伸縮式柱脚を形成し、内管２０の頂端はテーブル面４０の底部に繋ぎ合わせるように固定されており、外管１０の下部に台座３０が組み立てられることにより設置の平穏性が取れている。また内管２０の上端と外管１０の下端との間には伸縮シリンダー部品５０が設置され、伸縮シリンダー部品５０のシリンダーロッド５２の突出または収縮により、内管２０の昇降作動を変えられるという機能を得て、昇降式テーブルのテーブル面４０の高さを調整できるという機能を達成する。外管１０の頂端には位置決めスリーブ１２が設置され、位置決めスリーブ１２の内径は概ね内管２０の外径と一致し、また位置決めスリーブ１２の周面の周りに複数の横向き軸溝が彫り刻まれ、各横向き軸溝の内部にそれぞれローラーが埋設されている。【選択図】図１
0003222648.tif 000002
【実用新案登録請求の範囲】
【請求項１】
昇降式テーブルに用いられる昇降装置であって、
外管と内管が伸縮式柱脚を形成し、外管は底端に別途製作された台座が組立・結合されており、内管は頂端にテーブル面が結合・固定され、また内管は下端に内管が外管から脱離することを防止するための位置決めホルダーが設置され、
また前記外管及び前記内管からなる伸縮式脚柱は内部に伸縮シリンダー部品が組み立てられ、前記伸縮シリンダー部品のシリンダーボディが外管の底端に連結されて固定され、伸縮シリンダー部品のシリンダーロッドの頂端が内管の上端につながるように固定され、また別途製造された制御板及び牽引ケーブルは前記伸縮シリンダー部品のシリンダーロッドが突出しまた収縮するのを制御することができ、さらに前記伸縮式脚柱の内管の昇降作動を制御し、テーブル面の高さの調整機能を果たし、
前記外管は頂端に位置決めスリーブが設置されており、前記位置決めスリーブの外径は外管の内径と一致し、前記位置決めスリーブの内径は内管の外径と一致し、それにより前記内管は前記位置決めスリーブの内径穴を経由して外管に嵌めこまれ、ガイド効果を得ることができ、同時に、前記位置決めスリーブの周面の周りに複数の横向き軸溝が彫り刻まれ、各前記横向き軸溝の内部にはそれぞれローラーが埋め込まれており、それにより各前記ローラーは各前記横向き軸溝を通過して前記内管に接続する管壁の一部を露出させ、それによりガイド効果を得て、それにより前記内管が伸縮シリンダー部品の伸縮に制御されることにより昇降作動をする時、昇降のガイド効果を形成することを特徴とする昇降装置。
【請求項２】
前記位置決めスリーブは頂部に外管の内径より大きい拡径外側縁が設置されており、それにより位置決めスリーブと外管が設置される時の位置決め範囲を画定することを特徴とする請求項１に記載の昇降装置。
【請求項３】
前記位置決めスリーブの周面の周りに複数の横向き軸溝が刻み込まれ、その内縁側の開口は外縁側の開口より小さく、それにより各前記横向き軸溝の内部にそれぞれローラーが埋め込まれ、また別途製造したローラー止めブロックが外側の開口から各前記ローラーを封じ込め、それにより各前記ローラーは各前記横向き軸溝の内縁側の切り込みを通過し、前記内管に接触する管壁の一部を露出させ、それによりガイド効果を得ることを特徴とする請求項１に記載の昇降装置。
【考案の詳細な説明】
【技術分野】
【０００１】
本考案は昇降式テーブルに用いられる昇降装置に関する。特に、主に伸縮式脚柱の外管の頂端に設置される位置決めスリーブ装置により、従来の同じ種類の製品の軸受に取って代わるものであって、伸縮シリンダー部品の伸縮を制御することにより、その伸縮式脚柱の内管の収縮または突出を制御する時に、もっと平穏でスムーズな作動を得ることができると同時に、組立全体を単純化することができる。
【背景技術】
【０００２】
従来の昇降式テーブルは装置設計において、内管と外管により伸縮式脚柱を組み立てるほか、さらにそのなかに油圧式の伸縮シリンダーが設置されており、また伸縮シリンダーのシリンダーボディ及びシリンダーロッドがそれぞれ内管の頂端及び外管の底端に固定され、伸縮シリンダーのシリンダーロッドの収縮または突出により、さらに相対的に内管を上へ突出させまたは下へ収縮させ、内管の頂端につなぎ合わせられるテーブル面の高さの調整機能を達成する。
【０００３】
昇降するための高さの昇降操作の利便性のために、考案者は特許文献１の新型特許の装置を研究開発した。それは主に外管と内管により伸縮式柱脚を形成するようにセットされ、外管の上段の内縁に設置されている複数の滑車により、内管の昇降作動に対して安定でスムーズなガイド効果を形成するもので、当該外管の下部に台座が組み立てられ、伸縮式脚柱の内部に伸縮シリンダーが組み立てられ、当該伸縮シリンダーは正置状態に組み立てられる。それにより、シリンダーボディは底端が外管の下端に固定され、シリンダーロッドは頂端が内管上端につながるように固定され、また内管上端には枢座により片側に突出する制御棒が枢設され、当該制御棒を上向きに操作することにより、伸縮シリンダーのシリンダーロッドを押圧し、その収縮または突出を制御し、前記伸縮式脚柱の伸縮制御が達成され、さらにテーブル面の高さの調整機能が付与される。
ただし、上述の昇降式テーブルは、高さの調整において、伸縮シリンダーを制御するもとで内管が安定的な昇降作動を行なうことができるようにするために、外管上段の内縁に組み立てられる複数の滑車と内管の外縁面との間に接続が形成されることにより、スムーズなガイド効果が付与される。しかし、当該複数の滑車はそれぞれ独立して外管上段の内縁に組み立てられるので、平均的に内管の外縁面との接続が取りにくく、ちょっとした誤差で内管が昇降作動する時に揺れ動きやすく、または片寄る現象が生じやすく、昇降プロセスにおける安定性に深刻に影響する。従って、組立時に煩雑な校正作業が行なわれなければならない。校正作業により、初めて滑車と内管との良好な接続関係が取れる状態を確保できる。さらに、ある一定時間使用した後では、滑車も摩耗現象が生じやすいので、再び校正しまたは滑車を取り替える作業を行なわなければならない。その作業全体は相当煩雑で時間がかかるため、知らず知らずのうちに産業上の利用可能性と実用価値に影響を与える。よって、何とかしてこれを改善しなければならない。
【先行技術文献】
【特許文献】
【０００４】
【特許文献１】台湾特許出願第１０３２１８９４５号
【考案の概要】
【考案が解決しようとする課題】
【０００５】
従来の昇降式テーブルにおいて、内管と外管の間に滑車を利用するとき内管において昇降作動がスムーズにガイドされるようにすることによる組立の難しさと、校正が必要になる問題が発生したことに鑑みて、考案者は特にこの点について研究開発・設計を行い、関連産業に従事した長年の経験と技術に基づき、本考案の昇降式テーブルに用いられる昇降装置を開発した。
【課題を解決するための手段】
【０００６】
昇降式テーブルの伸縮式脚柱の内管に安定な昇降作動プロセスを付与するため、本考案は、当該外管の頂端に位置決めスリーブを設置する。当該位置決めスリーブの内径は内管の外径と一致し、また当該位置決めスリーブの周面の周りに複数の横向き軸溝が刻み込まれる。各当該横向き軸溝の内部にそれぞれローラーが埋設され、また各当該ローラーが各当該横向き軸溝を通過して内管に接続する管壁を露出させることにより、スムーズなガイド効果を得る。それにより、内管が伸縮シリンダー部品の伸縮で制御されることにより昇降作動を行なう時、もっと平穏でスムーズな昇降効果を得ることができる。
【考案の効果】
【０００７】
本考案の昇降式テーブルの安定な昇降装置は、装置の組成設計のもとで、位置決めスリーブに合わせて周面に埋設されるローラーを、内管の昇降作動のガイド部品とすることにより、スムーズなガイド効果を得ることができるだけでなく、全体的には組立がもっと簡単となり、また煩雑な校正作業を必要としないことから、優れた産業上の利用可能性と実用価値が大きくなり、従来の複数の滑車の組立に起因する問題と欠点を有効に解決する。
【図面の簡単な説明】
【０００８】
【図１】図１は本考案の好適な実施例の昇降装置全体を模式的に示す分解斜視図である。
【図２】図２は本考案の好適な実施例の外管と位置決めスリーブの構造を模式的に示す分解斜視図である。
【図３】図３は本考案の好適な実施例の外管と位置決めスリーブ組合せ構造を模式的に示す斜視図である。
【図４】図４は本考案の好適な実施例の位置決めスリーブの構造を模式的に示す分解斜視図である。
【図５】図５は本考案の好適な実施例の位置決めスリーブの組合せ構造を模式的に示す斜視図である。
【図６】図６は本考案の好適な実施例の位置決めスリーブの組合せ構造を模式的に示す断面図である。
【図７】図７は本考案の好適な実施例のテーブル面の上昇状態における構造を模式的に示す断面図である。
【図８】図８は本考案の好適な実施例のテーブル面の下降状態における構造を模式的に示す断面図である。
【考案を実施するための形態】
【０００９】
本考案の装置・組成、技術手段及び効果達成について、図１〜図８とともに例をあげて、以下に具体的に説明する。
【００１０】
図１〜図８に示すように、本考案の昇降式テーブルは装置設計において、主に外管（１０）と内管（２０）からなる伸縮式脚柱を形成するようにセットされる。
外管（１０）の底端には別途製造した台座（３０）が組立・結合されており、台座（３０）の底部に凹設された凹槽（３１）に内嵌する固定板（３２）はボルト（３３）でそれを貫通するように外管（１０）の底端面に螺合され、両者の強固な結合関係が得られる。
内管（２０）の頂端には結合翼板（２１）とテーブル面（４０）の底部の固定板（４１）が連結するように固定されることにより、そのテーブル面（４０）は異なるサイズ及び形の変化が可能である。
内管（２０）の下端には位置決めホルダー（２３）が取り付けられ、内管（２０）が外管（１０）から脱出することが防止される。また前記外管（１０）及び内管（２０）からなる伸縮式脚柱の内部には伸縮シリンダー部品（５０）が組み立てられ、当該伸縮シリンダー部品（５０）のシリンダーボディ（５１）が外管（１０）底端面に予め製作しておいたねじ穴（１１）に嵌めるように固定され、シリンダー本体（５１）と外管（１０）下端の固定関係が取れる。
シリンダーロッド（５２）の頂端には内管（２０）を貫通してそれに連結するように内管（２０）の上端に組み立てられた基座（２２）に固定し、またその頂端は当該基座（２２）を通過してやや突出・伸長状を呈し、また当該基座（２２）の頂部には別途製造した制御板（６０）が枢設されている。
当該制御板（６０）の底面は前記伸縮シリンダー部品（５０）のシリンダーロッド（５２）の頂端の連動キーに接触する。制御板（６０）の自由端の所定箇所に牽引ケーブル（７０）がそれに係合して連結されていることにより、連動関係が取れる。
当該牽引ケーブル（７０）は所定長さの軟らかい可撓性線材であり、テーブル面（４０）の邊縁箇所まで延伸する。当該テーブル面（４０）の邊縁箇所の所定箇所には保護カバー（８０）が組み立てられる。
当該保護カバー（８０）の内部に牽引レンチ（９０）及びワイヤーホルダー（８１）が組み立てられ、当該牽引レンチ（９０）を引っ張る時に、当該牽引ケーブル（７０）はワイヤーホルダー（８１）にガイドされるもとで安定した直線牽引作動が形成されることができることにより、前記制御板（６０）の揺れ動きに連動して伸縮シリンダー部品（５０）のシリンダーロッド（５２）の頂端の連動キーを押圧する。
当該伸縮シリンダー部品（５０）のシリンダーロッド（５２）が突出しまたは収縮するのを制御することができ、さらに当該伸縮式脚柱の内管（２０）の昇降作動を制御することができることにより、テーブル面の高さの調整機能を達成する。
【００１１】
前記当該外管（１０）的頂端には位置決めスリーブ（１２）が設置されており、当該位置決めスリーブ（１２）の外径は概ねと外管（１０）の内径と一致し、また当該位置決めスリーブ（１２）の頂部には外管（１０）の内径より大きい拡径外側縁（１３）が設置されており、位置決めスリーブ（１２）と外管（１０）が組み立てられる時の間隔を確保することができる。
当該位置決めスリーブ（１２）の内径は概ね内管（２０）の外径と一致し、当該内管（２０）は該位置決めスリーブ（１２）の内径穴を経由して外管（１０）に嵌めこみ、安定なガイド効果を得ることができる。
同時に、当該位置決めスリーブ（１２）の周面の周りに複数の横向き軸溝（１４）が彫り刻まれ、当該等横向き軸溝（１４）の内縁側の開け口は外縁側の開け口より小さいことにより各当該横向き軸溝（１４）の内部にそれぞれローラー（１５）が埋め込まれ、またローラー止めブロック（１６）で外側の開け口から各当該ローラー（１５）を封じ止める。
それにより、各当該ローラー（１５）は各当該横向き軸溝（１４）の内縁側の切り込みを通過し、当該内管（２０）に接触する管壁の局部を露出させ、スムーズなガイド効果を得ることができ、内管（２０）が伸縮シリンダー部品（５０）の伸縮に制御されることにより昇降作動をする時、もっと平穏でスムーズな昇降効果を獲得することができると同時に、位置決めスリーブ（１２）にローラー（１５）が埋設される設計は、装置全体がもっと簡単となり、組立が易しく精確で、従来の装置のように煩雑な滑車の校正作業を行なう必要がなくなり、また製品の寿命を延ばし、極めて優れた産業利用価値が付与される。
【００１２】
以上の説明からわかるように、本考案は昇降式テーブルの安定な昇降装置において行なわれた改良設計であり、昇降式テーブルの既存の昇降制御機能の仕組みのもとで、複数のローラーが埋設される位置決めスリーブを利用し、これが従来の複数の滑車装置に取って代わることにより、組立全体をもっと簡単にするだけでなく、煩雑な滑車の校正作業が必要なくなる。同時に、内管の昇降作動ガイドにおいても、もっと安定でスムーズな作動を得ることができ、また有効に製品の寿命を延ばすことができるため、従来の装置における欠陥を徹底的に解決し、全体的に、確かに産業上の利用可能性と実用価値を有する。
【符号の説明】
【００１３】
（１０）外管                  （１１）ねじ穴
（１２）位置決めスリーブ      （１３）拡径外側縁
（１４）横向き軸溝            （１５）ローラー
（１６）ローラー止めブロック  （２０）内管
（２１）結合翼板              （２２）基座
（２３）位置決めホルダー      （３０）台座
（３１）凹槽                  （３２）固定板
（３３）ボルト                （４０）テーブル面
（５０）伸縮シリンダー部品    （５１）シリンダーボディ
（５２）シリンダーロッド      （６０）制御板
（７０）牽引ケーブル          （８０）保護カバー
（８１）ワイヤーホルダー      （９０）牽引レンチ
【図１】
0003222648.tif 000003
【図２】
0003222648.tif 000004
【図３】
0003222648.tif 000005
【図４】
0003222648.tif 000006
【図５】
0003222648.tif 000007
【図６】
0003222648.tif 000008
【図７】
0003222648.tif 000009
【図８】
0003222648.tif 000010